(57)【要約】【課題】布の切縁が装飾の一部として有効に取り入れた、個性的且つ斬新に布を装飾する切抜模様が施された布及びこの切抜模様の形成方法について提案する。【解決手段】主布１７の裏側に副布１６を縫い合わせることにて切り抜こうとする部分を囲むステッチ３１を形成する工程と、前記ステッチ３１に囲まれた主布１７を、ステッチ３１から所定の巻き上がり代を残して切り抜く工程と、主布１７の切縁１７ａを縮ませる工程とで、布に切抜模様３０を形成した。切抜模様３０は、主布１７の切抜３２を通じて副布１６が布の表側に現れ、切抜３２の周囲には主布１７の切縁１７ａとステッチ３１との間の巻き上がり代の巻き上がり代による立体的ラインが形成される。【選択図】図３
2006052516.tif 000002
【特許請求の範囲】
【請求項１】
主布の裏側に副布を縫い合わせることにて切り抜こうとする部分を囲むステッチを形成する工程と、
前記ステッチに囲まれた主布を、ステッチから所定の巻き上がり代を残して切り抜く工程とを、
含むことを特徴とする切抜模様形成方法。
【請求項２】
前記主布を編地とし、前記副布を編地、織布地又は不織布地のいずれかとする、
請求項１に記載の切抜模様形成方法。
【請求項３】
前記主布は、切抜模様を施せば完成品となるものの構成布である、
請求項１又は請求項２に記載の切抜模様形成方法。
【請求項４】
主布に形成された切抜と、
前記切抜の周縁から所定の巻き上がり代だけ外側に施されたステッチと、
前記切抜を通じて主布の表面に現れる副布と、
前記巻き上がり代の巻き上がりとから成る切抜模様の布。
【請求項５】
前記主布を編地とし、前記副布を編地、織布地又は不織布地のいずれかとする、
請求項４に記載の切抜模様の布。
【発明の詳細な説明】
【技術分野】
【０００１】
本発明は、布に切抜模様を形成する方法及びこの方法にて切抜模様の形成された布に関する。
【背景技術】
【０００２】
従来、ジーンズなどの織布地で成る衣服において、布の切縁を纏らずに切り放しとして布の表面に露出させ、ほつれた切縁を装飾の一部とする服飾デザインが知られている。また、Ｔシャツ等の編地で成る衣服において、脇や袖等の縫合部分を表側に露出させ、巻き上がった切縁を装飾の一部とする服飾デザインが知られている。
これらの切縁を装飾の一部とする服飾デザインは、ルース感を醸しだし、主に若者に広く受け入れられている。
【０００３】
また、従来、布の一部を切り抜いて、切り抜いた部分から他の布を露出させる装飾技術が知られている。
例えば、特許文献１では、切り抜いた布の開口から他の布を露出させ、立体感ある模様を布に構成する方法が提案されている。ここでは、シート体（布等）に模様形成用の開口を設け、該開口の裏面側に、模様が施されるとともに充填物が充填されて立体的凹凸が形成された模様片を貼り付け、模様片の立体形状をシート体の開口より覗かせるようにしている。
【特許文献１】実開平５−６０３１４号公報
【発明の開示】
【発明が解決しようとする課題】
【０００４】
上記特許文献１では、「模様片がシート体の裏面側に取り付けられるにもかかわらず、シート体の開口の縁は、模様片の膨らみに覆われる状態となって目に触れず、見映えが向上される」という効果がうたわれている。すなわち、開口の縁に位置する布の切縁は装飾ではなく単に布が切り替わる境界として存在しているに過ぎない。
そこで、本発明では、布の切縁が装飾の一部として有効に取り入れた、個性的且つ斬新に布を装飾する切抜模様が施された布及びこの切抜模様の形成方法について提案する。
【課題を解決するための手段】
【０００５】
本発明の解決しようとする課題は以上の如くであり、次にこの課題を解決するための手段を説明する。
【０００６】
即ち、請求項１においては、主布の裏側に副布を縫い合わせることにて切り抜こうとする部分を囲むステッチを形成する工程と、前記ステッチに囲まれた主布を、ステッチから所定の巻き上がり代を残して切り抜く工程とを、含む切抜模様形成方法である。
【０００７】
請求項２においては、前記主布を編地とし、前記副布を編地、織布地又は不織布地のいずれかとするものである。
【０００８】
請求項３においては、前記主布は、切抜模様を施せば完成品となるものの構成布であるものである。
【０００９】
請求項４においては、主布に形成された切抜と、前記切抜の周縁から所定の巻き上がり代だけ外側に施されたステッチと、前記切抜を通じて主布の表面に現れる副布と、前記巻き上がり代の巻き上がりとから成る切抜模様の布である。
【００１０】
請求項５においては、前記主布を編地とし、前記副布を編地、織布地又は不織布地のいずれかとするものである。
【発明の効果】
【００１１】
本発明の効果として、以下に示すような効果を奏する。
【００１２】
請求項１においては、自由な形状の切抜模様を簡易に布に形成することができる。また、形成された切抜模様は、主布に形成された切抜を通じて副布が布の表側に現れ、切抜の周縁には、主布に残された巻き上がり代の巻き上がりによる立体的ラインが形成される。さらに、主布の切縁のほつれ止め処理が不要であるので、作業工程が少なく、作業が簡易である。
【００１３】
請求項２においては、主布に残された巻き上がり代が巻き上がり、立体的ラインが形成される。また、主布と副布の切替部分に形成された立体的ラインは、曲線状の無造作なものとなる。
【００１４】
請求項３においては、布に施された絵柄を分断する切抜模様を形成することが可能となり、また、衣服等の縫合部分に連続する切抜模様を簡易に形成することができる。
【００１５】
請求項４においては、主布の切縁の巻き上がりは、切抜模様を個性的且つ斬新なものとする装飾の一部となり、切抜模様の布にルース感を醸し出させることができる。
【００１６】
請求項５においては、主布に残された巻き上がり代の巻き上がりによる立体的ラインは、曲線状の無造作なものとなり、ルース感を醸し出すことができる。
【発明を実施するための最良の形態】
【００１７】
次に、発明の実施の形態を説明する。
図１は本発明の一実施例に係る切抜模様を形成したシャツを示す図、図２は切抜模様の拡大図、図３は切抜模様形成方法を説明する流れ図、図４は切抜模様形成方法を説明する図である。
図５は絵柄を分断する切抜模様を形成したシャツを示す図である。
図６は袖と見頃にわたって形成された切抜模様を示す図、図７は袖と見頃にわたる切抜模様形成方法を説明する図である。
図８は分断したライン状に形成された切抜模様を示す図、図９は分断したライン状の切抜模様形成方法を説明する図である。
図１０は十字形状に形成された切抜模様を示す図、図１１は十字形状の切抜模様形成方法を説明する図である。
【００１８】
図１では、本発明の実施例に係る切抜模様の布で成る製品の一例として、編地（ニット・メリヤス等）のシャツ１０を示している。
但し、切抜模様の布を適用する製品は、シャツ、パンツやジャケット等の衣服に限定されず、マフラー、スカーフや鞄等の服飾雑貨など、布製品に広く適用させることができる。
【００１９】
図１に示す如く、シャツ１０には縞模様が形成されている。
シャツ１０の縞模様は、図２にも示すように、プリントや生地の編み糸の色を変化させて形成されるのではなく、主布１７と副布１６との、少なくとも複数の種類（柄・色）の布を縫合させることにより立体的に形成された、複数のライン状の切抜模様３０・・・により形成されている。
【００２０】
主布１７の裏側には、縞の幅よりやや大きい幅を有する副布１６が縫いつけられ、主布１７と主布１７との間の切抜３２から副布１６が布の表側に現れている。
【００２１】
主布１７に切抜３２を形成することにより生じる主布１７の切縁１７ａは、纏られることなく、切り放しとされ、布の表側に露出している。これにより、主布１７の切縁１７ａは編地の特性上、巻き上がり、これが布の表側に表れて縞の上下の切替部分に立体的なラインが形成される。主布１７の切縁１７ａの巻き上がりは無造作であり、これにより、主布１７と副布１６の切替部分は、直線ではなく曲線状に布の表側に現れることとなる。
【００２２】
主布１７の生地は、編地であり、天竺、リブ、パール、ピンタック、ラーベン、振り、片畝、両畝、矢振り、ジャカード、レース柄、インターシャー、プレーティング、起毛などの柄の編地とすることができる。
なお、副布１６の生地は、編地に限定されるものではなく、織布地や不織布地とすることができる。主布１７と副布１６の生地に違いを設けることで、布に色柄だけでなく質感が異なる切抜模様３０を形成することができる。
【００２３】
次に、布への切抜模様形成方法について図３の流れ図を用いて説明する。
【００２４】
まず、図４（ａ）に示すように、主布１７の裏側に副布１６を縫いつける（Ｓ１１）。主布１７に形成しようとする切抜３２の周囲を縫うことによって、主布１７と副布１６が縫いつけられ、これにより、主布１７の表側に現れるステッチ３１が形成される。ステッチ３１には、主布１７と同一色の糸を用いてもよいし、主布１７と異なる色の糸を用いて、飾りステッチ３１とすることもできる。
なお、図１に示すシャツ１０に切抜模様３０を施す場合は、シャツ１０の形状を為したシャツ（模様を施せば完成品となるもの）の構成布を主布１７とし、シャツの構成布の裏面に副布１６を縫いつける。
【００２５】
続いて、後述する留めステッチ３１ａを切抜模様３０に形成しない場合は（Ｓ１２）、図４（ｂ）に示すように、主布１７に切り込みを入れたり切り取ったりして、主布１７に切抜３２を形成する（Ｓ１３）。
【００２６】
切抜３２を形成するに当たって、切抜３２により生じる主布１７の切縁１７ａからステッチ３１までの間に、所定の幅（以下、『巻き上がり代』と示す）だけ主布１７が残される。すなわち、ステッチ３１から巻き上がり代を残して、主布１７を切り取って、切抜３２を形成し、該切抜３２の周縁（主布１７の切縁１７ａ）から巻き上がり代だけ外側にステッチ３１が位置することになる。
【００２７】
主布１７の切縁１７ａは、ほつれ止めを目的とする処理（例えば、纏ったり、接着固定したりする処理）を施さずに、切り放しとする。そして、この切り放しとされた主布１７の切縁１７ａを縮ませれば（Ｓ１５）、布に切抜模様３０が形成される。
【００２８】
上述のように、切抜３２を主布１７に形成することにより生じる主布１７の切縁１７ａは、纏られることなく切り放しとされるので、切抜３２を形成して主布１７の切縁１７ａを縮ませることにて、図４（ｂ）に示すように、ステッチ３１から切縁１７ａまでの主布１７（主布１７の巻き上がり代に当たる部分）は、布の表側に巻き上がる。切縁１７ａの巻き上がりは、強制的に加工するのではなく、布地の特性を活かしたものであるため、巻き上がりは無造作なものとなり、これにより、主布１７と副布１６の切替部分は、直線ではなく曲線として布の表側に現れ、うねる縞が形成されることとなる。
【００２９】
このように主布１７の切縁１７ａの巻き上がりは、切抜模様３０を個性的且つ斬新なものとする装飾の一部となり、切抜模様３０の布にルース感を醸し出させることができる。また、切縁１７ａのほつれ止め処理が不要であるので、作業工程が少なく、作業が簡易となる。
【００３０】
なお、巻き上がり代は、切抜３２の範囲を切抜模様３０に応じて適宜調整することが好ましく、また、同一の切抜模様３０の巻き上がり代はほぼ均一となるようにすることが好ましい。
巻き上がり代を略一定として、布の表面に現れる主布１７の切縁１７ａの巻き上がりのボリュームを、略一定にして美感を高めるためである。
【００３１】
例えば、図１に示すシャツ１０に切抜模様３０を施す場合は、先ほどのステッチ３１に囲まれた主布１７に線状の切り込みを入れ、これを切抜３２とする。但し、シャツに形成される縞の幅が大きいときは、ステッチ３１に囲まれた主布１７をステッチ３１から略一定の巻き上がり代を残して帯状に切り取り、これを切抜３２とする。
【００３２】
上述のように形成される切抜模様３０では、模様を施せば完成品となるもの（図１に示すシャツ１０であれば、シャツの形状を為したもの）の構成布を主布１７としている。
これにより、例えば、図５に示すように、絵柄のプリントされたシャツの構成布の絵柄部分に、絵柄を分断させる縞柄を切抜模様３０にて形成することができる。縞柄の縞と縞との間に一区切りの絵柄を付すのではなく、絵柄を立体的な縞にて分断することにより、絵柄と縞柄とを同じ範囲に共に主張させたながら共存させることができる。
【００３３】
また、例えば、図６に示すように、シャツの袖と見頃との縫い合わせ目を通るライン状の切抜模様３０を形成することも簡易である。この場合、図７（ａ）に示すように、シャツの形状を為したシャツの構成布を主布１７とし、その袖１２と見頃１１にわたって連続する副布１６を縫いつけ、形成しようとする切抜３２の周囲にステッチ３１を施す。そして、図７（ｂ）に示すように、ステッチ３１に囲まれた部分の主布を、ステッチ３１から巻き上がり代を残して切り取って切抜３２を形成し、切縁１７ａを縮ませれば、巻き上がり代として残されたステッチ３１から切縁１７ａまでの主布１７が表側に巻き上がり、切抜模様３０が形成される。
【００３４】
なお、上述の切抜模様３０にて形成され得る模様は連続するライン状に限定されない。
例えば、図８に示すように、分断されたライン状の切抜模様３０を形成することもできる。
【００３５】
この場合、布への切抜模様３０形成方法について図３の流れ図を用いて説明すると、まず、図９（ａ）に示すように、主布１７の裏側に副布１６を縫いつけ、形成しようとする切抜３２の周囲にステッチ３１を施す（Ｓ１１）。
続いて、図９（ｂ）に示すように、ステッチ３１に囲まれた部分に、留めステッチ３１ａを形成する（Ｓ１４）。本実施例においては、×形状の留めステッチ３１ａを施しているが、多角形や円、点などの、ステッチ３１とすることもできる。
最後に、図９（ｃ）に示すように、ステッチ３１と留めステッチ３１ａとに囲まれた主布１７をステッチ３１から巻き上がり代を残して切り取り、これを切抜３２とする（Ｓ１３）。このように切抜３２を形成し、該切抜３２の周囲に位置する切縁１７ａを縮ませれば（Ｓ１５）、ステッチ３１から切縁１７ａまでの主布１７が表側に巻き上がり、分断されたライン状の切抜模様３０が形成される。
【００３６】
また、上述の切抜模様３０にて形成され得る模様はライン状に限定されない。
例えば、図１０に示すように、くさび十字形状の切抜模様３０を形成することもできる。
この場合、図１１（ａ）に示すように、主布１７の裏側に副布１６を縫いつけ、形成しようとする切抜３２の周囲にステッチ３１を施す。続いて、図１１（ｂ）に示すように、ステッチ３１に囲まれた主布１７をステッチ３１から巻き上がり代を残して切り取って切抜３２を形成すれば、やがてステッチ３１から切抜３２の切縁１７ａまでの主布１７が表側に巻き上がり、くさび十字形状の切抜模様３０が形成される。
上述のようにして、例えば、多角形、丸、ハート、クローバー等の様々な形状の切抜模様３０を布に形成することができる。
【００３７】
以上に示すように、本発明に係る切抜模様形成方法を実施することにて切抜模様を形成すれば、自由な形状の切抜模様３０を簡易に布に形成することができる。
また、このようにして形成された切抜模様３０は、主布１７に形成された切抜３２を通じて副布１６が布の表側に現れ、切抜３２の周縁には、主布１７の切縁１７ａとステッチ３１との間に残された巻き上がり代の巻き上がりによる立体的ラインが形成されている。つまり、主布１７と副布１６による布の切り替わりと、布の切替部分に形成された立体的ラインにて、切抜模様３０が形成される。そして、布の切替部分に形成された立体的ラインは、曲線状の無造作なものであり、主布１７と副布１６とが直線的に分断されるのではなく曲線的に緩やかに切り替わるように感じ取られるため、デザインのルース感をより一層高めることができる。
【図面の簡単な説明】
【００３８】
【図１】本発明の一実施例に係る切抜模様を形成したシャツを示す図。
【図２】切抜模様の拡大図。
【図３】切抜模様形成方法を説明する流れ図。
【図４】切抜模様形成方法を説明する図。
【図５】絵柄を分断する切抜模様を形成したシャツを示す図。
【図６】袖と見頃にわたって形成された切抜模様を示す図。
【図７】袖と見頃にわたる切抜模様形成方法を説明する図。
【図８】分断したライン状に形成された切抜模様を示す図。
【図９】分断したライン状の切抜模様形成方法を説明する図。
【図１０】十字形状に形成された切抜模様を示す図。
【図１１】十字形状の切抜模様形成方法を説明する図。
【符号の説明】
【００３９】
１６  副布
１７  主布
１７ａ  切端
３０  切抜模様
３１  ステッチ
３１ａ  留めステッチ
３２  切抜
【図１】
2006052516.tif 000003
【図２】
2006052516.tif 000004
【図３】
2006052516.tif 000005
【図４】
2006052516.tif 000006
【図７】
2006052516.tif 000007
【図９】
2006052516.tif 000008
【図１１】
2006052516.tif 000009
【図５】
2006052516.tif 000010
【図６】
2006052516.tif 000011
【図８】
2006052516.tif 000012
【図１０】
2006052516.tif 000013
【手続補正書】
【提出日】平成17年9月9日(2005.9.9)
【手続補正１】
【補正対象書類名】特許請求の範囲
【補正対象項目名】全文
【補正方法】変更
【補正の内容】
【特許請求の範囲】
【請求項１】
編地で成る衣服の裏側に、該衣服の縫い合わせ目を介して連続する副布を縫い合わせることにて形成しようとするライン状の切抜模様を囲むステッチを施す工程と、
前記ステッチに囲まれた衣服の縫い合わせ目を含む部分を、ステッチに沿って該ステッチと布の切縁との間に所定の巻き上がり代を略一定幅だけ残して切り抜く又は切り込む工程とを実行して、
切抜模様を形成することを特徴とする切抜模様形成方法。
【請求項２】
請求項１に記載の切抜模様形成方法にて形成された切抜模様が、
衣服の身頃において横方向に、又は、衣服の袖において袖丈方向若しくは袖丈方向と略直交する方向に、単数又は複数略平行に形成されていることを特徴とする切抜模様の衣服。
【請求項３】
編地で成る主布の裏側に、編地、織布地又は不織布地のいずれかで成る副布を縫い合わせることにて形成しようとするライン状の切抜模様を囲むステッチを施す工程と、
前記ステッチに囲まれた部分に、切抜模様により形成されるラインに沿って略等間隔に複数の留めステッチを施す工程と、
前記ステッチと留めステッチに囲まれた主布を、ステッチ又は留めステッチと主布の切縁との間に所定の巻き上がり代を残して切り抜く又は切り込む工程とを実行して、切抜模様を形成する
ことを特徴とする切抜模様形成方法。
【請求項４】
編地で成る主布と、該主布の裏側に、形成しようとする切抜模様を囲むステッチにて縫いつけられた編地、織布地又は不織布地のいずれかで成る副布とで構成され、
前記ステッチに囲まれた部分に、切抜模様により形成されるラインに沿って略等間隔に複数の留めステッチが施され、
前記ステッチ及び留めステッチに囲まれた部分の前記主布に形成された切り込み又は切り抜きを通じて、前記副布が該主布の表側に表れるとともに、
該副布の周縁に前記切り込み若しくは切り抜きによる主布の切れ端と前記ステッチ又は留めステッチとの間に略一定幅だけ残された主布の巻き上がりが表れている
ことを特徴とする切抜模様の布。
【手続補正２】
【補正対象書類名】明細書
【補正対象項目名】全文
【補正方法】変更
【補正の内容】
【発明の詳細な説明】
【技術分野】
【０００１】
本発明は、布に切抜模様を形成する方法及びこの方法にて切抜模様の形成された布に関する。
【背景技術】
【０００２】
従来、ジーンズなどの織布地で成る衣服において、布の切縁を纏らずに切り放しとして布の表面に露出させ、ほつれた切縁を装飾の一部とする服飾デザインが知られている。また、Ｔシャツ等の編地で成る衣服において、脇や袖等の縫合部分を表側に露出させ、巻き上がった切縁を装飾の一部とする服飾デザインが知られている。
これらの切縁を装飾の一部とする服飾デザインは、ルース感を醸しだし、主に若者に広く受け入れられている。
【０００３】
また、従来、布の一部を切り抜いて、切り抜いた部分から他の布を露出させる装飾技術が知られている。
例えば、特許文献１では、切り抜いた布の開口から他の布を露出させ、立体感ある模様を布に構成する方法が提案されている。ここでは、シート体（布等）に模様形成用の開口を設け、該開口の裏面側に、模様が施されるとともに充填物が充填されて立体的凹凸が形成された模様片を貼り付け、模様片の立体形状をシート体の開口より覗かせるようにしている。
【特許文献１】実開平５−６０３１４号公報
【発明の開示】
【発明が解決しようとする課題】
【０００４】
上記特許文献１では、「模様片がシート体の裏面側に取り付けられるにもかかわらず、シート体の開口の縁は、模様片の膨らみに覆われる状態となって目に触れず、見映えが向上される」という効果がうたわれている。すなわち、開口の縁に位置する布の切縁は装飾ではなく単に布が切り替わる境界として存在しているに過ぎない。
そこで、本発明では、布の切縁が装飾の一部として有効に取り入れた、個性的且つ斬新に布を装飾する切抜模様が施された布及びこの切抜模様の形成方法について提案する。
【課題を解決するための手段】
【０００５】
本発明の解決しようとする課題は以上の如くであり、次にこの課題を解決するための手段を説明する。
【０００６】
即ち、請求項１においては、編地で成る衣服の裏側に、該衣服の縫い合わせ目を介して連続する副布を縫い合わせることにて形成しようとするライン状の切抜模様を囲むステッチを施す工程と、前記ステッチに囲まれた衣服の縫い合わせ目を含む部分を、ステッチに沿って該ステッチと布の切縁との間に所定の巻き上がり代を略一定幅だけ残して切り抜く又は切り込む工程とを実行して、切抜模様を形成する、切抜模様形成方法である。
【０００７】
請求項２においては、請求項１に記載の切抜模様形成方法にて形成された切抜模様が、衣服の身頃において横方向に、又は、衣服の袖において袖丈方向若しくは袖丈方向と略直交する方向に、単数又は複数略平行に形成されている、切抜模様の衣服である。
【０００８】
請求項３においては、編地で成る主布の裏側に、編地、織布地又は不織布地のいずれかで成る副布を縫い合わせることにて形成しようとするライン状の切抜模様を囲むステッチを施す工程と、前記ステッチに囲まれた部分に、切抜模様により形成されるラインに沿って略等間隔に複数の留めステッチを施す工程と、前記ステッチと留めステッチに囲まれた主布を、ステッチ又は留めステッチと主布の切縁との間に所定の巻き上がり代を残して切り抜く又は切り込む工程とを実行して、切抜模様を形成する、切抜模様形成方法である。
【０００９】
請求項４においては、編地で成る主布と、該主布の裏側に、形成しようとする切抜模様を囲むステッチにて縫いつけられた編地、織布地又は不織布地のいずれかで成る副布とで構成され、前記ステッチに囲まれた部分に、切抜模様により形成されるラインに沿って略等間隔に複数の留めステッチが施され、前記ステッチ及び留めステッチに囲まれた部分の前記主布に形成された切り込み又は切り抜きを通じて、前記副布が該主布の表側に表れるとともに、該副布の周縁に前記切り込み若しくは切り抜きによる主布の切れ端と前記ステッチ又は留めステッチとの間に略一定幅だけ残された主布の巻き上がりが表れている、切抜模様の布である。
【発明の効果】
【００１０】
本発明の効果として、以下に示すような効果を奏する。
【００１１】
請求項１においては、形成された切抜模様は、主布に形成された切抜を通じて副布が布の表側に現れ、切抜の周縁には、主布に残された巻き上がり代の巻き上がりによる立体的ラインが形成される。さらに、主布の切縁のほつれ止め処理が不要であるので、作業工程が少なく、作業が簡易である。主布の切縁の巻き上がりは、切抜模様を個性的且つ斬新なものとする装飾の一部となり、切抜模様の布に無造作感を醸し出させることができる。
また、衣服の縫い合わせ目も含めて切り抜く又は切り込むので、例えば、シャツの袖と身頃との縫い合わせ目を通るライン状の切抜模様を形成することなど、衣服等の縫合部分に連続する切抜模様を簡易に形成することができる。さらに、布に施された絵柄を分断する切抜模様を形成することができる。
【００１２】
請求項２においては、衣服の主布と副布の切替部分は、直線ではなく曲線として布の表側に現れ、うねるような縞柄を形成することができる。
【００１３】
請求項３においては、留めステッチにより、分断されたライン状の切抜模様を形成することができる。切抜模様は、主布に形成された切抜を通じて副布が布の表側に現れ、切抜の周縁には、主布に残された巻き上がり代の巻き上がりによる立体的ラインが形成された、無造作感を有するものとなる。さらに、主布の切縁のほつれ止め処理が不要であるので、作業工程が少なく、作業が簡易である。
【００１４】
請求項４においては、留めステッチとステッチとに囲まれた切抜の周縁には、主布に残された巻き上がり代の巻き上がりによる立体的ラインが形成されて無造作感が醸し出された、分断されたライン状の切抜模様となる。
【発明を実施するための最良の形態】
【００１５】
次に、発明の実施の形態を説明する。
図１は本発明の一実施例に係る切抜模様を形成したシャツを示す図、図２は切抜模様の拡大図、図３は切抜模様形成方法を説明する流れ図、図４は切抜模様形成方法を説明する図である。
図５は絵柄を分断する切抜模様を形成したシャツを示す図である。
図６は袖と身頃にわたって形成された切抜模様を示す図、図７は袖と身頃にわたる切抜模様形成方法を説明する図である。
図８は分断したライン状に形成された切抜模様を示す図、図９は分断したライン状の切抜模様形成方法を説明する図である。
図１０は十字形状に形成された切抜模様を示す図、図１１は十字形状の切抜模様形成方法を説明する図である。
【００１６】
図１では、本発明の実施例に係る切抜模様の布で成る製品の一例として、編地（ニット・メリヤス等）のシャツ１０を示している。
但し、切抜模様の布を適用する製品は、シャツ、パンツやジャケット等の衣服に限定されず、マフラー、スカーフや鞄等の服飾雑貨など、布製品に広く適用させることができる。
【００１７】
図１に示す如く、シャツ１０には縞模様が形成されている。
シャツ１０の縞模様は、図２にも示すように、プリントや生地の編み糸の色を変化させて形成されるのではなく、主布１７と副布１６との、少なくとも複数の種類（柄・色）の布を縫合させることにより立体的に形成された、複数のライン状の切抜模様３０・・・により形成されている。
【００１８】
主布１７の裏側には、縞の幅よりやや大きい幅を有する副布１６が縫いつけられ、主布１７と主布１７との間の切抜３２から副布１６が布の表側に現れている。
【００１９】
主布１７に切抜３２を形成することにより生じる主布１７の切縁１７ａは、纏られることなく、切り放しとされ、布の表側に露出している。これにより、主布１７の切縁１７ａは編地の特性上、巻き上がり、これが布の表側に表れて縞の上下の切替部分に立体的なラインが形成される。主布１７の切縁１７ａの巻き上がりは無造作であり、これにより、主布１７と副布１６の切替部分は、直線ではなく曲線状に布の表側に現れることとなる。
【００２０】
主布１７の生地は、編地であり、天竺、リブ、パール、ピンタック、ラーベン、振り、片畝、両畝、矢振り、ジャカード、レース柄、インターシャー、プレーティング、起毛などの柄の編地とすることができる。
なお、副布１６の生地は、編地に限定されるものではなく、織布地や不織布地とすることができる。主布１７と副布１６の生地に違いを設けることで、布に色柄だけでなく質感が異なる切抜模様３０を形成することができる。
【００２１】
次に、布への切抜模様形成方法について図３の流れ図を用いて説明する。
【００２２】
まず、図４（ａ）に示すように、主布１７の裏側に副布１６を縫いつける（Ｓ１１）。主布１７に形成しようとする切抜３２の周囲を縫うことによって、主布１７と副布１６が縫いつけられ、これにより、主布１７の表側に現れるステッチ３１が形成される。ステッチ３１には、主布１７と同一色の糸を用いてもよいし、主布１７と異なる色の糸を用いて、飾りステッチ３１とすることもできる。
なお、図１に示すシャツ１０に切抜模様３０を施す場合は、シャツ１０の形状を為したシャツ（模様を施せば完成品となるもの）の構成布を主布１７とし、シャツの構成布の裏面に副布１６を縫いつける。
【００２３】
続いて、後述する留めステッチ３１ａを切抜模様３０に形成しない場合は（Ｓ１２）、図４（ｂ）に示すように、主布１７に切り込みを入れたり切り取ったりして、主布１７に切抜３２を形成する（Ｓ１３）。
【００２４】
切抜３２を形成するに当たって、切抜３２により生じる主布１７の切縁１７ａからステッチ３１までの間に、所定の幅（以下、『巻き上がり代』と示す）だけ主布１７が残される。すなわち、ステッチ３１から巻き上がり代を残して、主布１７を切り取って、切抜３２を形成し、該切抜３２の周縁（主布１７の切縁１７ａ）から巻き上がり代だけ外側にステッチ３１が位置することになる。
【００２５】
主布１７の切縁１７ａは、ほつれ止めを目的とする処理（例えば、纏ったり、接着固定したりする処理）を施さずに、切り放しとする。そして、この切り放しとされた主布１７の切縁１７ａを縮ませれば（Ｓ１５）、布に切抜模様３０が形成される。
【００２６】
上述のように、切抜３２を主布１７に形成することにより生じる主布１７の切縁１７ａは、纏られることなく切り放しとされるので、切抜３２を形成して主布１７の切縁１７ａを縮ませることにて、図４（ｂ）に示すように、ステッチ３１から切縁１７ａまでの主布１７（主布１７の巻き上がり代に当たる部分）は、布の表側に巻き上がる。切縁１７ａの巻き上がりは、強制的に加工するのではなく、布地の特性を活かしたものであるため、巻き上がりは無造作なものとなり、これにより、主布１７と副布１６の切替部分は、直線ではなく曲線として布の表側に現れ、うねる縞が形成されることとなる。
【００２７】
このように主布１７の切縁１７ａの巻き上がりは、切抜模様３０を個性的且つ斬新なものとする装飾の一部となり、切抜模様３０の布にルース感を醸し出させることができる。また、切縁１７ａのほつれ止め処理が不要であるので、作業工程が少なく、作業が簡易となる。
【００２８】
なお、巻き上がり代は、切抜３２の範囲を切抜模様３０に応じて適宜調整することが好ましく、また、同一の切抜模様３０の巻き上がり代はほぼ均一となるようにすることが好ましい。
巻き上がり代を略一定として、布の表面に現れる主布１７の切縁１７ａの巻き上がりのボリュームを、略一定にして美感を高めるためである。
【００２９】
例えば、図１に示すシャツ１０に切抜模様３０を施す場合は、先ほどのステッチ３１に囲まれた主布１７に線状の切り込みを入れ、これを切抜３２とする。但し、シャツに形成される縞の幅が大きいときは、ステッチ３１に囲まれた主布１７をステッチ３１から略一定の巻き上がり代を残して帯状に切り取り、これを切抜３２とする。
【００３０】
上述のように形成される切抜模様３０では、模様を施せば完成品となるもの（図１に示すシャツ１０であれば、シャツの形状を為したもの）の構成布を主布１７としている。
これにより、例えば、図５に示すように、絵柄のプリントされたシャツの構成布の絵柄部分に、絵柄を分断させる縞柄を切抜模様３０にて形成することができる。縞柄の縞と縞との間に一区切りの絵柄を付すのではなく、絵柄を立体的な縞にて分断することにより、絵柄と縞柄とを同じ範囲に共に主張させながら共存させることができる。
【００３１】
また、例えば、図６に示すように、シャツの袖と身頃との縫い合わせ目を通るライン状の切抜模様３０を形成することも簡易である。この場合、図７（ａ）に示すように、シャツの形状を為したシャツの構成布を主布１７とし、その袖１２と身頃１１にわたって連続する副布１６を縫いつけ、形成しようとする切抜３２の周囲にステッチ３１を施す。そして、図７（ｂ）に示すように、ステッチ３１に囲まれた部分の主布を、ステッチ３１から巻き上がり代を残して切り取って切抜３２を形成し、切縁１７ａを縮ませれば、巻き上がり代として残されたステッチ３１から切縁１７ａまでの主布１７が表側に巻き上がり、切抜模様３０が形成される。
【００３２】
なお、上述の切抜模様３０にて形成され得る模様は連続するライン状に限定されない。
例えば、図８に示すように、分断されたライン状の切抜模様３０を形成することもできる。
【００３３】
この場合、布への切抜模様３０形成方法について図３の流れ図を用いて説明すると、まず、図９（ａ）に示すように、主布１７の裏側に副布１６を縫いつけ、形成しようとする切抜３２の周囲にステッチ３１を施す（Ｓ１１）。
続いて、図９（ｂ）に示すように、ステッチ３１に囲まれた部分に、留めステッチ３１ａを形成する（Ｓ１４）。本実施例においては、×形状の留めステッチ３１ａを施しているが、多角形や円、点などの、ステッチとすることもできる。
最後に、図９（ｃ）に示すように、ステッチ３１と留めステッチ３１ａとに囲まれた主布１７をステッチ３１から巻き上がり代を残して切り取り、これを切抜３２とする（Ｓ１３）。このように切抜３２を形成し、該切抜３２の周囲に位置する切縁１７ａを縮ませれば（Ｓ１５）、ステッチ３１から切縁１７ａまでの主布１７が表側に巻き上がり、分断されたライン状の切抜模様３０が形成される。
【００３４】
また、上述の切抜模様３０にて形成され得る模様はライン状に限定されない。
例えば、図１０に示すように、くさび十字形状の切抜模様３０を形成することもできる。
この場合、図１１（ａ）に示すように、主布１７の裏側に副布１６を縫いつけ、形成しようとする切抜３２の周囲にステッチ３１を施す。続いて、図１１（ｂ）に示すように、ステッチ３１に囲まれた主布１７をステッチ３１から巻き上がり代を残して切り取って切抜３２を形成すれば、やがてステッチ３１から切抜３２の切縁１７ａまでの主布１７が表側に巻き上がり、くさび十字形状の切抜模様３０が形成される。
上述のようにして、例えば、多角形、丸、ハート、クローバー等の様々な形状の切抜模様３０を布に形成することができる。
【００３５】
以上に示すように、本発明に係る切抜模様形成方法を実施することにて切抜模様を形成すれば、自由な形状の切抜模様３０を簡易に布に形成することができる。
また、このようにして形成された切抜模様３０は、主布１７に形成された切抜３２を通じて副布１６が布の表側に現れ、切抜３２の周縁には、主布１７の切縁１７ａとステッチ３１との間に残された巻き上がり代の巻き上がりによる立体的ラインが形成されている。つまり、主布１７と副布１６による布の切り替わりと、布の切替部分に形成された立体的ラインにて、切抜模様３０が形成される。そして、布の切替部分に形成された立体的ラインは、曲線状の無造作なものであり、主布１７と副布１６とが直線的に分断されるのではなく曲線的に緩やかに切り替わるように感じ取られるため、デザインのルース感をより一層高めることができる。
【図面の簡単な説明】
【００３６】
【図１】本発明の一実施例に係る切抜模様を形成したシャツを示す図。
【図２】切抜模様の拡大図。
【図３】切抜模様形成方法を説明する流れ図。
【図４】切抜模様形成方法を説明する図。
【図５】絵柄を分断する切抜模様を形成したシャツを示す図。
【図６】袖と身頃にわたって形成された切抜模様を示す図。
【図７】袖と身頃にわたる切抜模様形成方法を説明する図。
【図８】分断したライン状に形成された切抜模様を示す図。
【図９】分断したライン状の切抜模様形成方法を説明する図。
【図１０】十字形状に形成された切抜模様を示す図。
【図１１】十字形状の切抜模様形成方法を説明する図。
【符号の説明】
【００３７】
１６  副布
１７  主布
１７ａ  切端
３０  切抜模様
３１  ステッチ
３１ａ  留めステッチ
３２  切抜
【手続補正書】
【提出日】平成17年12月2日(2005.12.2)
【手続補正１】
【補正対象書類名】特許請求の範囲
【補正対象項目名】全文
【補正方法】変更
【補正の内容】
【特許請求の範囲】
【請求項１】
衣服となっている編地で成るシャツの身頃の裏側に、副布ごとに上位置及び下位置にステッチを施すことによって、複数の副布を横縞模様となるように縫い合わせ、副布と縫い合わされた部分のシャツの身頃の布を、切抜の上下それぞれにステッチとシャツの身頃の布の切縁との間に略一定幅の所定の巻き上がり代が残るように、ステッチに沿って切り込みを入れて、前記シャツの身頃の表側に、シャツの身頃の布の切縁間より表れた副布が複数上下方向に並ぶことによって切抜横縞模様が形成されていることを特徴とする切抜横縞模様を有するシャツ。
【手続補正２】
【補正対象書類名】明細書
【補正対象項目名】全文
【補正方法】変更
【補正の内容】
【発明の詳細な説明】
【技術分野】
【０００１】
本発明は、シャツの身頃の布に切り込みを入れて切抜横縞模様を形成したシャツに関する。
【背景技術】
【０００２】
従来、ジーンズなどの織布地で成る衣服において、布の切縁を纏らずに切り放しとして布の表面に露出させ、ほつれた切縁を装飾の一部とする服飾デザインが知られている。また、Ｔシャツ等の編地で成る衣服において、脇や袖等の縫合部分を表側に露出させ、巻き上がった切縁を装飾の一部とする服飾デザインが知られている。
これらの切縁を装飾の一部とする服飾デザインは、ルース感を醸しだし、主に若者に広く受け入れられている。
【０００３】
また、従来、布の一部を切り抜いて、切り抜いた部分から他の布を露出させる装飾技術が知られている。
例えば、特許文献１では、切り抜いた布の開口から他の布を露出させ、立体感ある模様を布に構成する方法が提案されている。ここでは、シート体（布等）に模様形成用の開口を設け、該開口の裏面側に、模様が施されるとともに充填物が充填されて立体的凹凸が形成された模様片を貼り付け、模様片の立体形状をシート体の開口より覗かせるようにしている。
【特許文献１】実開平５−６０３１４号公報
【発明の開示】
【発明が解決しようとする課題】
【０００４】
上記特許文献１では、「模様片がシート体の裏面側に取り付けられるにもかかわらず、シート体の開口の縁は、模様片の膨らみに覆われる状態となって目に触れず、見映えが向上される」という効果がうたわれている。すなわち、開口の縁に位置する布の切縁は装飾ではなく単に布が切り替わる境界として存在しているに過ぎない。
そこで、本発明では、布の切縁が装飾の一部として有効に取り入れた、個性的且つ斬新に布を装飾する切抜模様が施された布及びこの切抜模様の形成方法について提案する。
【課題を解決するための手段】
【０００５】
本発明の解決しようとする課題は以上の如くであり、次にこの課題を解決するための手段を説明する。
【０００６】
即ち、請求項１においては、衣服となっている編地で成るシャツの身頃の裏側に、副布ごとに上位置及び下位置にステッチを施すことによって、複数の副布を横縞模様となるように縫い合わせ、副布と縫い合わされた部分のシャツの身頃の布を、切抜の上下それぞれにステッチとシャツの身頃の布の切縁との間に略一定幅の所定の巻き上がり代が残るように、ステッチに沿って切り込みを入れて、前記シャツの身頃の表側に、シャツの身頃の布の切縁間より表れた副布が複数上下方向に並ぶことによって切抜横縞模様が形成されているものである。
【発明の効果】
【０００７】
本発明の効果として、以下に示すような効果を奏する。
【０００８】
請求項１においては、シャツの身頃の布と副布の切替部分に、直線ではなく曲線としてシャツの表側に現れ、うねるような横縞模様を形成することができる。また、シャツの身頃の布の切縁の巻き上がり代が切抜横縞模様を個性的且つ斬新なものとする装飾の一部となり、切抜横縞模様を有するシャツにルース感を醸し出させることができる。さらに、シャツの身頃の布の切縁のほつれ止め処理が不要であるので、作業工程が少なく、作業が簡易となる。
【発明を実施するための最良の形態】
【０００９】
次に、発明の実施の形態を説明する。
図１は本発明の一実施例に係る切抜模様を形成したシャツを示す図、図２は切抜模様の拡大図、図３は切抜模様形成方法を説明する流れ図、図４は切抜模様形成方法を説明する図である。
図５は絵柄を分断する切抜模様を形成したシャツを示す図である。
図６は袖と身頃にわたって形成された切抜模様を示す図、図７は袖と身頃にわたる切抜模様形成方法を説明する図である。
図８は分断したライン状に形成された切抜模様を示す図、図９は分断したライン状の切抜模様形成方法を説明する図である。
図１０は十字形状に形成された切抜模様を示す図、図１１は十字形状の切抜模様形成方法を説明する図である。
【００１０】
図１では、本発明の実施例に係る切抜模様の布で成る製品の一例として、編地（ニット・メリヤス等）のシャツ１０を示している。
但し、切抜模様の布を適用する製品は、シャツ、パンツやジャケット等の衣服に限定されず、マフラー、スカーフや鞄等の服飾雑貨など、布製品に広く適用させることができる。
【００１１】
図１に示す如く、シャツ１０には縞模様が形成されている。
シャツ１０の縞模様は、図２にも示すように、プリントや生地の編み糸の色を変化させて形成されるのではなく、主布１７と副布１６との、少なくとも複数の種類（柄・色）の布を縫合させることにより立体的に形成された、複数のライン状の切抜模様３０・・・により形成されている。
【００１２】
主布１７の裏側には、縞の幅よりやや大きい幅を有する副布１６が縫いつけられ、主布１７と主布１７との間の切抜３２から副布１６が布の表側に現れている。
【００１３】
主布１７に切抜３２を形成することにより生じる主布１７の切縁１７ａは、纏られることなく、切り放しとされ、布の表側に露出している。これにより、主布１７の切縁１７ａは編地の特性上、巻き上がり、これが布の表側に表れて縞の上下の切替部分に立体的なラインが形成される。主布１７の切縁１７ａの巻き上がりは無造作であり、これにより、主布１７と副布１６の切替部分は、直線ではなく曲線状に布の表側に現れることとなる。
【００１４】
主布１７の生地は、編地であり、天竺、リブ、パール、ピンタック、ラーベン、振り、片畝、両畝、矢振り、ジャカード、レース柄、インターシャー、プレーティング、起毛などの柄の編地とすることができる。
なお、副布１６の生地は、編地に限定されるものではなく、織布地や不織布地とすることができる。主布１７と副布１６の生地に違いを設けることで、布に色柄だけでなく質感が異なる切抜模様３０を形成することができる。
【００１５】
次に、布への切抜模様形成方法について図３の流れ図を用いて説明する。
【００１６】
まず、図４（ａ）に示すように、主布１７の裏側に副布１６を縫いつける（Ｓ１１）。主布１７に形成しようとする切抜３２の周囲を縫うことによって、主布１７と副布１６が縫いつけられ、これにより、主布１７の表側に現れるステッチ３１が形成される。ステッチ３１には、主布１７と同一色の糸を用いてもよいし、主布１７と異なる色の糸を用いて、飾りステッチ３１とすることもできる。
なお、図１に示すシャツ１０に切抜模様３０を施す場合は、シャツ１０の形状を為したシャツ（模様を施せば完成品となるもの）の構成布を主布１７とし、シャツの構成布の裏面に副布１６を縫いつける。
【００１７】
続いて、後述する留めステッチ３１ａを切抜模様３０に形成しない場合は（Ｓ１２）、図４（ｂ）に示すように、主布１７に切り込みを入れたり切り取ったりして、主布１７に切抜３２を形成する（Ｓ１３）。
【００１８】
切抜３２を形成するに当たって、切抜３２により生じる主布１７の切縁１７ａからステッチ３１までの間に、所定の幅（以下、『巻き上がり代』と示す）だけ主布１７が残される。すなわち、ステッチ３１から巻き上がり代を残して、主布１７を切り取って、切抜３２を形成し、該切抜３２の周縁（主布１７の切縁１７ａ）から巻き上がり代だけ外側にステッチ３１が位置することになる。
【００１９】
主布１７の切縁１７ａは、ほつれ止めを目的とする処理（例えば、纏ったり、接着固定したりする処理）を施さずに、切り放しとする。そして、この切り放しとされた主布１７の切縁１７ａを縮ませれば（Ｓ１５）、布に切抜模様３０が形成される。
【００２０】
上述のように、切抜３２を主布１７に形成することにより生じる主布１７の切縁１７ａは、纏られることなく切り放しとされるので、切抜３２を形成して主布１７の切縁１７ａを縮ませることにて、図４（ｂ）に示すように、ステッチ３１から切縁１７ａまでの主布１７（主布１７の巻き上がり代に当たる部分）は、布の表側に巻き上がる。切縁１７ａの巻き上がりは、強制的に加工するのではなく、布地の特性を活かしたものであるため、巻き上がりは無造作なものとなり、これにより、主布１７と副布１６の切替部分は、直線ではなく曲線として布の表側に現れ、うねる縞が形成されることとなる。
【００２１】
このように主布１７の切縁１７ａの巻き上がりは、切抜模様３０を個性的且つ斬新なものとする装飾の一部となり、切抜模様３０の布にルース感を醸し出させることができる。また、切縁１７ａのほつれ止め処理が不要であるので、作業工程が少なく、作業が簡易となる。
【００２２】
なお、巻き上がり代は、切抜３２の範囲を切抜模様３０に応じて適宜調整することが好ましく、また、同一の切抜模様３０の巻き上がり代はほぼ均一となるようにすることが好ましい。
巻き上がり代を略一定として、布の表面に現れる主布１７の切縁１７ａの巻き上がりのボリュームを、略一定にして美感を高めるためである。
【００２３】
例えば、図１に示すシャツ１０に切抜模様３０を施す場合は、先ほどのステッチ３１に囲まれた主布１７に線状の切り込みを入れ、これを切抜３２とする。但し、シャツに形成される縞の幅が大きいときは、ステッチ３１に囲まれた主布１７をステッチ３１から略一定の巻き上がり代を残して帯状に切り取り、これを切抜３２とする。
【００２４】
上述のように形成される切抜模様３０では、模様を施せば完成品となるもの（図１に示すシャツ１０であれば、シャツの形状を為したもの）の構成布を主布１７としている。
これにより、例えば、図５に示すように、絵柄のプリントされたシャツの構成布の絵柄部分に、絵柄を分断させる縞柄を切抜模様３０にて形成することができる。縞柄の縞と縞との間に一区切りの絵柄を付すのではなく、絵柄を立体的な縞にて分断することにより、絵柄と縞柄とを同じ範囲に共に主張させながら共存させることができる。
【００２５】
また、例えば、図６に示すように、シャツの袖と身頃との縫い合わせ目を通るライン状の切抜模様３０を形成することも簡易である。この場合、図７（ａ）に示すように、シャツの形状を為したシャツの構成布を主布１７とし、その袖１２と身頃１１にわたって連続する副布１６を縫いつけ、形成しようとする切抜３２の周囲にステッチ３１を施す。そして、図７（ｂ）に示すように、ステッチ３１に囲まれた部分の主布を、ステッチ３１から巻き上がり代を残して切り取って切抜３２を形成し、切縁１７ａを縮ませれば、巻き上がり代として残されたステッチ３１から切縁１７ａまでの主布１７が表側に巻き上がり、切抜模様３０が形成される。
【００２６】
なお、上述の切抜模様３０にて形成され得る模様は連続するライン状に限定されない。  例えば、図８に示すように、分断されたライン状の切抜模様３０を形成することもできる。
【００２７】
この場合、布への切抜模様３０形成方法について図３の流れ図を用いて説明すると、まず、図９（ａ）に示すように、主布１７の裏側に副布１６を縫いつけ、形成しようとする切抜３２の周囲にステッチ３１を施す（Ｓ１１）。
続いて、図９（ｂ）に示すように、ステッチ３１に囲まれた部分に、留めステッチ３１ａを形成する（Ｓ１４）。本実施例においては、×形状の留めステッチ３１ａを施しているが、多角形や円、点などの、ステッチとすることもできる。
最後に、図９（ｃ）に示すように、ステッチ３１と留めステッチ３１ａとに囲まれた主布１７をステッチ３１から巻き上がり代を残して切り取り、これを切抜３２とする（Ｓ１３）。このように切抜３２を形成し、該切抜３２の周囲に位置する切縁１７ａを縮ませれば（Ｓ１５）、ステッチ３１から切縁１７ａまでの主布１７が表側に巻き上がり、分断されたライン状の切抜模様３０が形成される。
【００２８】
また、上述の切抜模様３０にて形成され得る模様はライン状に限定されない。
例えば、図１０に示すように、くさび十字形状の切抜模様３０を形成することもできる。
この場合、図１１（ａ）に示すように、主布１７の裏側に副布１６を縫いつけ、形成しようとする切抜３２の周囲にステッチ３１を施す。続いて、図１１（ｂ）に示すように、ステッチ３１に囲まれた主布１７をステッチ３１から巻き上がり代を残して切り取って切抜３２を形成すれば、やがてステッチ３１から切抜３２の切縁１７ａまでの主布１７が表側に巻き上がり、くさび十字形状の切抜模様３０が形成される。
上述のようにして、例えば、多角形、丸、ハート、クローバー等の様々な形状の切抜模様３０を布に形成することができる。
【００２９】
以上に示すように、本発明に係る切抜模様形成方法を実施することにて切抜模様を形成すれば、自由な形状の切抜模様３０を簡易に布に形成することができる。
また、このようにして形成された切抜模様３０は、主布１７に形成された切抜３２を通じて副布１６が布の表側に現れ、切抜３２の周縁には、主布１７の切縁１７ａとステッチ３１との間に残された巻き上がり代の巻き上がりによる立体的ラインが形成されている。つまり、主布１７と副布１６による布の切り替わりと、布の切替部分に形成された立体的ラインにて、切抜模様３０が形成される。そして、布の切替部分に形成された立体的ラインは、曲線状の無造作なものであり、主布１７と副布１６とが直線的に分断されるのではなく曲線的に緩やかに切り替わるように感じ取られるため、デザインのルース感をより一層高めることができる。
【００３０】
編地で成る衣服の裏側に、該衣服の縫い合わせ目を介して連続する副布を縫い合わせることにて形成しようとするライン状の切抜模様を囲むステッチを施す工程と、前記ステッチに囲まれた衣服の縫い合わせ目を含む部分を、ステッチに沿って該ステッチと布の切縁との間に所定の巻き上がり代を略一定幅だけ残して切り抜く又は切り込む工程とを実行して、切抜模様を形成する、切抜模様形成方法を用いることにより、形成された切抜模様は、主布に形成された切抜を通じて副布が布の表側に現れ、切抜の周縁には、主布に残された巻き上がり代の巻き上がりによる立体的ラインが形成される。さらに、主布の切縁のほつれ止め処理が不要であるので、作業工程が少なく、作業が簡易である。主布の切縁の巻き上がりは、切抜模様を個性的且つ斬新なものとする装飾の一部となり、切抜模様の布に無造作感を醸し出させることができる。
また、衣服の縫い合わせ目も含めて切り抜く又は切り込むので、例えば、シャツの袖と身頃との縫い合わせ目を通るライン状の切抜模様を形成することなど、衣服等の縫合部分に連続する切抜模様を簡易に形成することができる。さらに、布に施された絵柄を分断する切抜模様を形成することができる。
【００３１】
また、切抜模様形成方法にて形成された切抜模様が、衣服の身頃において横方向に、又は、衣服の袖において袖丈方向若しくは袖丈方向と略直交する方向に、単数又は複数略平行に形成されている、切抜模様の衣服であることにより、衣服の主布と副布の切替部分は、直線ではなく曲線として布の表側に現れ、うねるような縞柄を形成することができる。
【図面の簡単な説明】
【００３２】
【図１】本発明の一実施例に係る切抜模様を形成したシャツを示す図。
【図２】切抜模様の拡大図。
【図３】切抜模様形成方法を説明する流れ図。
【図４】切抜模様形成方法を説明する図。
【図５】絵柄を分断する切抜模様を形成したシャツを示す図。
【図６】袖と身頃にわたって形成された切抜模様を示す図。
【図７】袖と身頃にわたる切抜模様形成方法を説明する図。
【図８】分断したライン状に形成された切抜模様を示す図。
【図９】分断したライン状の切抜模様形成方法を説明する図。
【図１０】十字形状に形成された切抜模様を示す図。
【図１１】十字形状の切抜模様形成方法を説明する図。
【符号の説明】
【００３３】
１６  副布
１７  主布
１７ａ  切端
３０  切抜模様
３１  ステッチ
３１ａ  留めステッチ
３２  切抜